(57)【特許請求の範囲】
【請求項１】
リール体の巻取り周面部にシンブル配設用凹部を設け、このシンブル配設用凹部にロープ端部に形成したシンブルを収納状態にして取り付けるロープ巻取りリールにおいて、前記シンブル配設用凹部に、前記シンブルを覆うようにしてロープ支承部を設けると共に、このロープ支承部は、前記巻取り周面部の一部となるように構成して、このロープ支承部が巻取り周面部に巻取ったロープをシンブル配設用凹部に落ち込まないように支承する構成とし、前記シンブルを前記シンブル配設用凹部内に設けた連結ピンを支軸にして回動自在に連結し、この連結ピンに前記ロープ支承部を枢着して、このロープ支承部が連結ピンに対し回動する前記シンブルと共にシンブル配設用凹部に対して回動自在となるように構成したことを特徴とするロープ巻取りリール。
【請求項２】
前記ロープ支承部は、前記リール体の巻取り周面部と略面一状態となるようにして前記シンブル配設用凹部に設けたことを特徴とする請求項１記載のロープ巻取りリール。
【請求項３】
前記シンブル配設用凹部若しくは前記ロープ支承部に、シンブル配設用凹部に固定したロープの出口部を設けたことを特徴とする請求項１，２のいずれか１項に記載のロープ巻取りリール。
【請求項４】
前記ロープ支承部は、少なくとも前記シンブル配設用凹部に固定したロープの出口部を残してシンブル配設用凹部に設けるか若しくは、ロープ支承部にロープの出口部を形成したことを特徴とする請求項１〜３のいずれか１項に記載のロープ巻取りリール。
【請求項５】
前記シンブルを前記シンブル配設用凹部内に設けた連結ピンによって連結すると共に、この連結ピンによって前記ロープ支承部をシンブル配設用凹部に連結したことを特徴とする請求項１〜４のいずれか１項に記載のロープ巻取りリール。
【発明の詳細な説明】
【０００１】
【発明の属する技術分野】
本発明は、ロープ巻取りリールに関するものである。
【０００２】
【従来の技術及び発明が解決しようとする課題】
例えば、ワイヤーロープなどを巻取りするリールは、リール体20の巻取り周面部21に、ロープ22の端部に形成したシンブル22Ａを収納して取り付けるシンブル配設用凹部23を凹設している。
【０００３】
そのため、ロープ22を巻取る際には、図４に示すようにどうしてもシンブル配設用凹部23に巻取ったロープ22が落ち込んでしまって乱れ巻きとなり、これが原因でロープ22に負荷がかかって変形や損傷の原因となってしまうというおそれがあった。
【０００４】
特にコンパクトなリールは、リール体20の巻取り周面部21のＲがきつく形成されているために巻取りによってロープ22に大きな負荷を生じ易いもので、この点は早急に解決したい重要な課題である。
【０００５】
本発明は、このような現状に鑑み、ロープに負荷がかかりにくい状態でスムーズにロープを巻取りすることができる画期的なロープ巻取りリールを提供するものである。
【０００６】
【課題を解決するための手段】
添付図面を参照して本発明の要旨を説明する。
【０００７】
リール体１の巻取り周面部２にシンブル配設用凹部３を設け、このシンブル配設用凹部３にロープ４端部に形成したシンブル４Ａを収納状態にして取り付けるロープ巻取りリールにおいて、前記シンブル配設用凹部３に、前記シンブル４Ａを覆うようにしてロープ支承部５を設けると共に、このロープ支承部５は、前記巻取り周面部２の一部となるように構成して、このロープ支承部５が巻取り周面部２に巻取ったロープ４をシンブル配設用凹部３に落ち込まないように支承する構成とし、前記シンブル４Ａを前記シンブル配設用凹部３内に設けた連結ピン７を支軸にして回動自在に連結し、この連結ピン７に前記ロープ支承部５を枢着して、このロープ支承部５が連結ピン７に対し回動する前記シンブル４Ａと共にシンブル配設用凹部３に対して回動自在となるように構成したことを特徴とするロープ巻取りリールに係るものである。
【０００８】
また、前記ロープ支承部５は、前記リール体１の巻取り周面部２と略面一状態となるようにして前記シンブル配設用凹部３に設けたことを特徴とする請求項１記載のロープ巻取りリールに係るものである。
【０００９】
また、前記シンブル配設用凹部３若しくは前記ロープ支承部５に、シンブル配設用凹部３に固定したロープ４の出口部６を設けたことを特徴とする請求項１，２のいずれか１項に記載のロープ巻取りリールに係るものである。
【００１０】
また、前記ロープ支承部５は、少なくとも前記シンブル配設用凹部３に固定したロープ４の出口部６を残してシンブル配設用凹部３に設けるか若しくは、ロープ支承部５にロープ４の出口部６を形成したことを特徴とする請求項１〜３のいずれか１項に記載のロープ巻取りリールに係るものである。
【００１１】
また、前記シンブル４Ａを前記シンブル配設用凹部３内に設けた連結ピン７によって連結すると共に、この連結ピン７によって前記ロープ支承部５をシンブル配設用凹部３に連結したことを特徴とする請求項１〜４のいずれか１項に記載のロープ巻取りリールに係るものである。
【００１２】
【発明の実施の形態】
好適と考える本発明の実施の形態（発明をどのように実施するか）を、図面に基づいてその作用効果を示して簡単に説明する。
【００１３】
リール体１を回転させてロープ４を巻取ると、シンブル配設用凹部３内のシンブル４Ａを覆うようにして設けられたロープ支承部５が巻取り周面部２の一部となって巻取ったロープ４をシンブル配設用凹部３に落ち込まないように支承するため、従来のロープ巻取りリールのように、シンブル配設用凹部に巻取ったロープが落ち込んでしまって乱れ巻きとなるようなことがない。
【００１４】
従って、巻取り時にロープ４を負荷がかかりにくい状態でスムーズに巻取りすることができる極めて実用性に秀れた画期的なロープ巻取りリールとなる。
【００１５】
また、本発明は、従来のロープ巻取りリール構造に対して、シンブル配設用凹部３にシンブル４Ａを覆うようにしてロープ支承部５を設け、このロープ支承部５が巻取り周面部２の一部となるように構成するだけの構造であるため、従来品に比して大幅に構造が複雑化することもないし、コストアップもさほどではなく、量産性に秀れ安価な製品を提供可能となる。
【００１６】
また、例えば、前記ロープ支承部５は、前記リール体１の巻取り周面部２と略面一状態となるようにして前記シンブル配設用凹部３に設ければ、ロープ支承部５上でロープ４が波打つようにして巻取られることが確実に防止されるため、一層ロープ４に負荷がかかりにくい状態でスムーズにロープ４を巻取りすることができ、極めて実用的となる。
【００１７】
また、例えば、前記シンブル配設用凹部３若しくは前記ロープ支承部５に、シンブル配設用凹部３に固定したロープ４の出口部６を設ければ、シンブル配設用凹部３に設けられるロープ支承部５がこのシンブル配設用凹部３より突出するロープ４の邪魔にならず、一層実用的となる。
【００１８】
また、例えば、前記ロープ支承部５は、少なくとも前記シンブル配設用凹部３に固定したロープ４の出口部６を残してシンブル配設用凹部３に設けるか若しくは、ロープ支承部５にロープ４の出口部６を形成すれば、シンブル配設用凹部３に設けられるロープ支承部５がこのシンブル配設用凹部３より突出するロープ４の邪魔にならず、しかも、この出口部９の構成は簡易に設計実現可能な構成であり、量産性に秀れ安価に構成可能となるなど、一層実用的となる。
【００１９】
また、例えば、前記シンブル４Ａを前記シンブル配設用凹部３内に設けた連結ピン７によって連結すると共に、この連結ピン７によって前記ロープ支承部５をシンブル配設用凹部３に連結すれば、既存のロープ巻取りリールのシンブル取付構造を利用してシンブル配設用凹部３にロープ支承部５を極めて容易に取付可能となり、一層実用的となる。
【００２０】
また、例えば、前記シンブル４Ａを前記シンブル配設用凹部３内に設けた連結ピン７を支軸にして回動自在に連結し、この連結ピン７に前記ロープ支承部５を枢着して、このロープ支承部５が連結ピン７に対し回動する前記シンブル４Ａと共にシンブル配設用凹部３に対して回動自在となるように構成すれば、既存のロープ巻取りリールのシンブル取付構造を利用してシンブル配設用凹部３にロープ支承部５を極めて容易に取付可能となり、しかも、ロープ４を巻出す際にロープ支承部５が回動して開くことになるため、ロープ支承部５が邪魔となってロープ４を最後まで引き出しできなくなるようなことがなく、従来品と同様に最大限引き出すことが可能となり、その上、後述の実施例構造のように、ロープ支承部５をシンブル４Ａと一緒に回動する構造とすれば、ロープ巻出し時にロープ支承部５が勝手にブラブラすることもないし、再び巻取る際には、ロープ４が巻取り周面部２に巻付くにしたがってシンブル４Ａと共に自動的にロープ支承部５がシンブル配設用凹部３の開口部分を塞ぐように回動移動して、支承面５Ａが巻取り周面部２の一部として機能することになるなど、一層実用性に秀れた構成となる。
【００２１】
【実施例】
本発明の具体的な実施例について図面に基づいて説明する。
【００２２】
本実施例は、リール体１の巻取り周面部２にシンブル配設用凹部３を設け、このシンブル配設用凹部３にロープ４端部に形成したシンブル４Ａを収納状態にして取り付けし得るように構成している。
具体的に説明すると、円板状のリール体１は、図１に示すように表裏両側の周縁部全周にフランジ部１Ａを突設し、この表裏のフランジ部１Ａ間の外周面が巻取り周面部２となってロープ４が巻取りされる構成としている。
【００２３】
このリール体１の巻取り周面部２の一部を溝状に凹設し、この凹設部を前記シンブル配設用凹部３としている。
【００２４】
このシンブル配設用凹部３へのシンブル４Ａの固定構造は、シンブル４Ａにシンブル配設用凹部３内に設けた連結ピン７を挿通することで、この連結ピン７を支軸にしてシンブル４Ａを回動自在に連結した構成としている。図中符号10は連結ピン７を挿通固定するための挿通孔である。
【００２５】
本実施例では、前記シンブル配設用凹部３に、前記シンブル４Ａを覆うようにしてロープ支承部５を設けると共に、このロープ支承部５は、前記巻取り周面部２の一部となるように構成して、このロープ支承部５が巻取り周面部２に巻取ったロープ４をシンブル配設用凹部３に落ち込まないように支承する構成としている。
【００２６】
具体的に説明すると、ロープ支承部５は、一枚の板材を折曲形成して構成しているもので、図示のように一端部側に二股コ字状の連結片５Ｂを形成し、他端部側に巻取り周面部２の形状に同調した湾曲面状の支承面５Ａを形成した構成としている。
【００２７】
また、二股の連結片５Ｂには軸受孔８を形成して、この軸受孔８に前記連結ピン７を貫通することでシンブル４Ａと共にこのロープ支承部５をシンブル配設用凹部３に配設し、更にこの連結ピン７を支軸としてロープ支承部５はシンブル配設用凹部３に対して起伏回動自在となるように構成している。
【００２８】
また、このロープ支承部５の支承面５Ａは、二股の連結片５Ｂ間に架設してシンブル４Ａを貫通するように設けられる連動ピン11によってシンブル４Ａと共に起伏回動するように構成している。
【００２９】
そして、このロープ支承部５は、前記支承面５Ａがシンブル配設用凹部３の開口部に伏した状態となることでこの開口部を塞ぐ状態となり、この支承面５Ａが前記巻取り周面部２の一部として機能するように構成している。
【００３０】
また、支承面５Ａは、シンブル配設用凹部３の全部を塞がず、略中央部だけを塞ぐように大きさを設定構成し、これによりシンブル配設用凹部３の前記連結ピン７が存する側とは反対側の塞がれない部分がシンブル配設用凹部３に固定したロープ４の出口部６となるように構成して、シンブル配設用凹部３に設けられるロープ支承部５がこのシンブル配設用凹部３より突出するロープ４の邪魔にならないようにしている。
【００３１】
また、本実施例では、このロープ支承部５は、前記リール体１の巻取り周面部２と略面一状態となるようにして前記シンブル配設用凹部３に設けている。
【００３２】
具体的に説明すると、前記シンブル配設用凹部３の中央部所定範囲の開口縁部を前記支承面５Ａの厚み分凹設し、この凹設部を嵌合部９としてこの嵌合部９に前記支承面５Ａの左右縁部が嵌合し得るように構成すると共に、この際この支承面５Ａが巻取り周面部２と略面一状態となるように構成している。
【００３３】
次に、本実施例の作用を説明する。
【００３４】
リール体１を回転させてロープ４を巻取ると、シンブル配設用凹部３に収納状態で固定されているこのロープ４端部のシンブル４Ａを覆うようにして設けられたロープ支承部５が巻取り周面部２の一部となって図２に示すように巻取ったロープ４をシンブル配設用凹部３に落ち込まないように支承するため、従来のロープ巻取りリールのように、シンブル配設用凹部に巻取ったロープが落ち込んでしまって乱れ巻きとなるようなことがない。
【００３５】
従って、ロープ４に負荷がかかりにくい状態でスムーズにロープ４を巻取りすることができる。
【００３６】
また、ロープ４を巻出す際には、図３に示すようにロープ支承部５がシンブル４Ａと共に回動して開くことになるため、このロープ支承部５が邪魔となってロープ４を最後まで引き出しできなくなるようなことがなく、従来品と同様に最大限引き出すことが可能となる。
【００３７】
また、この際、ロープ支承部５はシンブル４Ａと一緒に回動するから勝手にブラブラすることもないし、再び巻取る際には、ロープ４が巻取り周面部２に巻付くにしたがってシンブル４Ａと共に自動的にロープ支承部５がシンブル配設用凹部３の開口部分を塞ぐように回動移動し、支承面５Ａが巻取り周面部２の一部として機能することになる。
【００３８】
尚、本発明は、本実施例に限られるものではなく、各構成要件の具体的構成は適宜設計し得るものである。
【００３９】
【発明の効果】
本発明は上述のように構成したから、ロープに負荷がかかりにくい状態でスムーズにロープを巻取りすることができる極めて実用性に秀れたロープ巻取りリールとなり、しかも本発明は、従来のロープ巻取りリール構造に対して、シンブル配設用凹部にシンブルを覆うようにしてロープ支承部を追加し、このロープ支承部が巻取り周面部の一部となるように構成するだけの構造であるため、従来品に比して大幅に構造が複雑化することもないし、コストアップもさほどではなく、量産性に秀れ安価な製品を提供可能となるなど、画期的なロープ巻取りリールとなる。
【００４０】
また、本発明においては、既存のロープ巻取りリールのシンブル取付構造を利用してシンブル配設用凹部にロープ支承部を極めて容易に取付可能となり、しかも、ロープを巻出す際にロープ支承部が回動して開くことになるため、ロープ支承部が邪魔となってロープを最後まで引き出しできなくなるようなことがなく、従来品と同様に最大限引き出すことが可能となり、その上、実施例構造のように、ロープ支承部をシンブルと一緒に回動する構造とすれば、ロープ巻出し時にロープ支承部が勝手にブラブラすることもないし、再び巻取る際には、ロープが巻取り周面部に巻付くにしたがってシンブルと共に自動的にロープ支承部がシンブル配設用凹部の開口部分を塞ぐように回動移動して、支承面が巻取り周面部の一部として機能することになるなど、一層実用性に秀れた構成のロープ巻取りリールとなる。
【００４１】
また、請求項２記載の発明においては、ロープ支承部上でロープが波打つようにして巻取られることが確実に防止されるため、一層ロープに負荷がかかりにくい状態でスムーズにロープを巻取りすることができる極めて実用性に秀れた構成のロープ巻取りリールとなる。
【００４２】
また、請求項３記載の発明においては、シンブル配設用凹部に設けられるロープ支承部がこのシンブル配設用凹部より突出するロープの邪魔にならない一層実用性に秀れたロープ巻取りリールとなる。
【００４３】
また、請求項４記載の発明においては、シンブル配設用凹部に設けられるロープ支承部がこのシンブル配設用凹部より突出するロープの邪魔にならず、しかも、この出口部の構成は簡易に設計実現可能な構成であり、量産性に秀れ安価に構成可能となるなど、一層実用性に秀れたロープ巻取りリールとなる。
【００４４】
また、請求項５記載の発明においては、既存のロープ巻取りリールのシンブル取付構造を利用してシンブル配設用凹部にロープ支承部を極めて容易に取付可能となる一層実用性に秀れた構成のロープ巻取りリールとなる。
【図面の簡単な説明】
【図１】  本実施例の分解斜視図である。
【図２】  本実施例のロープ巻取り状態を示す説明断面図である。
【図３】  本実施例のロープ巻出し状態を示す一部を切欠した説明図である。
【図４】  従来例のロープ巻取り状態を示す説明断面図である。
【符号の説明】
１  リール体
２  巻取り周面部
３  シンブル配設用凹部
４  ロープ
４Ａ  シンブル
５  ロープ支承部
６  出口部
７  連結ピン
【図１】
0003637321.tif 000002
【図２】
0003637321.tif 000003
【図３】
0003637321.tif 000004
【図４】
0003637321.tif 000005